(57)【要約】【課題】本発明は、被検査物における検査面が曲面でも、より集音できる超音波探傷用探触子を提供する。【解決手段】本発明の超音波探傷用探触子Ｐは、超音波で被検査物Ｏｂの欠陥を検出する超音波探傷装置に用いられる装置であって、被検査物Ｏｂ内で集音するように被検査物Ｏｂへ第１超音波を送信する送信用振動子１と、前記第１超音波に基づいて被検査物Ｏｂから来た第２超音波を受信する受信用振動子１と、送信用振動子１と被検査物Ｏｂとの間に配置され、前記第１超音波を伝播する遅延材２とを備え、遅延材２は、前記第１超音波を放射する放射面が被検査物Ｏｂにおける検査面の形状に倣う形状を持ち、前記放射面の形状が内側に凹む凹形状である場合には被検査物Ｏｂの第３音速以上の第１音速である第１材料で形成され、前記放射面の形状が外側に突出した凸形状である場合には被検査物Ｏｂの第３音速以下の第２音速である第２材料で形成されている。【選択図】図１
2019152598.tif 000002
【特許請求の範囲】
【請求項１】
超音波で被検査物の欠陥を検出する超音波探傷装置に用いられる超音波探傷用探触子であって、
前記被検査物内で集音するように前記被検査物へ第１超音波を送信する送信用振動子と、
前記第１超音波に基づいて前記被検査物から来た第２超音波を受信する受信用振動子と、
前記送信用振動子と前記被検査物との間に配置され、前記第１超音波を伝播する遅延材とを備え、
前記遅延材は、前記第１超音波を放射する放射面が前記被検査物における検査面の形状に倣う形状を持ち、
前記遅延材は、前記放射面の形状が内側に凹む凹形状である場合には前記被検査物の第３音速以上の第１音速である第１材料で形成され、前記放射面の形状が外側に突出した凸形状である場合には前記被検査物の第３音速以下の第２音速である第２材料で形成されている、
超音波探傷用探触子。
【請求項２】
前記送信用振動子は、前記第１超音波を放射する第２放射面が前記第１超音波を前記被検査物内で集音するように曲面形状を持つ、
請求項１に記載の超音波探傷用探触子。
【請求項３】
前記遅延材は、合成石英ガラスで形成されている、
請求項１または請求項２に記載の超音波探傷用探触子。
【請求項４】
前記遅延材は、サファイアガラスで形成されている、
請求項１または請求項２に記載の超音波探傷用探触子。
【発明の詳細な説明】
【技術分野】
【０００１】
本発明は、超音波で被検査物の欠陥を検出する超音波探傷装置に用いられる超音波探傷用探触子に関する。
【背景技術】
【０００２】
従来、被検査物における例えば傷、亀裂および接合不良等の欠陥を非破壊で検査する際に、超音波探傷装置が利用されている。この超音波探傷装置は、被検査物へ第１超音波を送信し、前記送信した第１超音波に基づいて前記被検査物から来た第２超音波を受信する超音波探傷用探触子（超音波探傷用プローブ）を備え、前記受信した第２超音波を解析することで、前記欠陥の有無、その位置およびその大きさ（サイズ）等を検出する。
【０００３】
このような超音波探傷装置に用いられる超音波探傷用探触子は、通常、超音波の放射面が平面である。このため、被検査物の検査面が曲面であると、平面の放射面を曲面の検査面に密着できず、検査が困難となる。そこで、例えば特許文献１に、曲面に追随する超音波探傷装置が開示されている。
【０００４】
この特許文献１に開示された超音波探傷装置は、複数の圧電振動子が配列され、曲面形状に変形可能なアレイ圧電振動子と、該アレイ圧電振動子から超音波を発振させる前記圧電振動子を選択する駆動素子選択部と、該駆動素子選択部で選択された圧電振動子から発振される超音波を送受信し、その電気信号を検出する信号検出部と、前記アレイ圧電振動子に応力を加えて所望の曲面形状に変形させる変形調整手段とを備える。前記特許文献１によれば、このような超音波探傷装置では、検出結果に基づいて各圧電振動子と検査対象物表面との距離が測定でき、該測定結果に基づいて変形調整手段によってアレイ圧電振動子を変形させることで、該圧電振動子を検査対象物の表面形状に沿った形状に容易に調整することが可能になる。これにより、個々の圧電振動子が検査対象物の探傷面と略平行になることで、圧電振動子から発信された超音波が検査対象物の探傷面に対し略垂直に入射することが可能になり、測定精度を一層高めることができる。
【先行技術文献】
【特許文献】
【０００５】
【特許文献１】特開２００９−２７６０８５号公報
【発明の概要】
【発明が解決しようとする課題】
【０００６】
ところで、超音波探傷法には、比較的微小な欠陥に対する検出感度を向上させるために、超音波を被検査物内で集音するように入射させる検出方法がある。このような検出方法の場合、被検査物における検査面が平面である場合には、被検査物内における所定の領域で効果的に集音できるが、前記検査面が曲面であると、被検査物内に超音波が入射する際に生じる発散の影響により、集音し難い場合がある。前記特許文献１に開示された超音波探傷装置は、前記検査面の形状による影響を低減できるが、集音の点が考慮されておらず、効果的に集音することが難しい。
【０００７】
本発明は、上述の事情に鑑みて為された発明であり、その目的は、被検査物における検査面が曲面でも、より集音できる超音波探傷用探触子を提供することである。
【課題を解決するための手段】
【０００８】
本発明者は、種々検討した結果、上記目的は、以下の本発明により達成されることを見出した。すなわち、本発明の一態様にかかる超音波探傷用探触子は、超音波で被検査物の欠陥を検出する超音波探傷装置に用いられる超音波探傷用探触子であって、前記被検査物内で集音するように前記被検査物へ第１超音波を送信する送信用振動子と、前記第１超音波に基づいて前記被検査物から来た第２超音波を受信する受信用振動子と、前記送信用振動子と前記被検査物との間に配置され、前記第１超音波を伝播する遅延材とを備え、前記遅延材は、前記第１超音波を放射する放射面が前記被検査物における検査面の形状に倣う形状を持ち、前記遅延材は、前記放射面の形状が内側に凹む凹形状である場合には前記被検査物の第３音速以上の第１音速である第１材料で形成され、前記放射面の形状が外側に突出した凸形状である場合には前記被検査物の第３音速以下の第２音速である第２材料で形成されている。好ましくは、上述の超音波探傷用探触子において、前記受信用振動子は、前記送信用振動子と兼用されている。好ましくは、上述の超音波探傷用探触子において、前記被検査物は、予め決定（指定、規定）されており、前記遅延材は、前記予め決定されている前記被検査物における検査面の形状に倣う形状に形成される。
【０００９】
第１物質から第２物質へ伝播する超音波は、いわゆる音波のスネルの法則に従う。すなわち、第１物質の音速をｖ１とし、第２物質の音速をｖ２とし、第１物質と第２物質との界面における法線方向を基準に、入射角をφ１とし、屈折角をφ２とする場合、ｓｉｎφ１／ｖ１＝ｓｉｎφ２／ｖ２が成り立つ。上記超音波探傷用探触子は、前記放射面（第１放射面）の形状が内側に凹む凹形状である場合には前記被検査物の第３音速以上の第１音速である第１材料で前記遅延材（くさび）が形成される。よって、前記遅延材の第１音速をＶ１とし、前記被検査物の第３音速をＶ３とし、入射角をθ１とし屈折角をθ３とすると、Ｖ１≧Ｖ３、ｓｉｎθ１／ｓｉｎθ３＝Ｖ１／Ｖ３＞１となるので、ｓｉｎθ１＞ｓｉｎθ３となり、この結果、遅延材から被検査物へ入射される超音波は、集音する方向に伝播する。一方、上記超音波探傷用探触子は、前記放射面の形状が外側に突出した凸形状である場合には前記被検査物の第３音速以下の第２音速である第２材料で前記遅延材が形成される。よって、前記遅延材の第２音速をＶ２とし、前記被検査物の第３音速をＶ３とし、入射角をθ２とし屈折角をθ３とすると、Ｖ２≦Ｖ３、ｓｉｎθ２／ｓｉｎθ３＝Ｖ２／Ｖ３＜１となるので、ｓｉｎθ２＜ｓｉｎθ３となり、遅延材から被検査物へ入射される超音波は、集音する方向に伝播する。したがって、上記超音波探傷用探触子は、被検査物における検査面が曲面でも、より集音できる。上記超音波探傷用探触子は、このようにより集音できるので、所望の領域を探傷できるから、特に、被検査物内の比較的微小な欠陥を探傷する場合に有利である。
【００１０】
他の一態様では、上述の超音波探傷用探触子において、前記送信用振動子は、前記第１超音波を放射する第２放射面が前記第１超音波を前記被検査物内で集音するように曲面形状を持つ。
【００１１】
このような超音波探傷用探触子は、第２放射面を曲面形状に形成するという比較的容易な手法で、第１超音波を被検査物内で集音するように放射できる。
【００１２】
他の一態様では、上述の超音波探傷用探触子において、前記遅延材は、合成石英ガラスで形成されている。
【００１３】
このような超音波探傷用探触子は、被検査物が例えば検査面の形状が外側に突出した凸形状である鋼である場合に、鋼の縦波音速が約５９００ｍ／ｓｅｃであってその横波音速が約３２００ｍ／ｓｅｃである一方、合成石英ガラスの縦波音速が約５９７０ｍ／ｓｅｃであってその横波音速が約３７６０ｍ／ｓｅｃであるので、前記遅延材の第１音速が前記被検査物の第３音速以上である条件を満たすことができる。特に、縦波音速では、前記遅延材の第１音速と被検査物の第３音速との差が約１．１２％となり、入射角と屈折角とが略同じとなり、被検査物に入射する際の入射角と屈折角との差が小さくなってより効果的に集音できる。
【００１４】
他の一態様では、上述の超音波探傷用探触子において、前記遅延材は、サファイアガラスで形成されている。
【００１５】
このような超音波探傷用探触子は、被検査物が例えば検査面の形状が外側に突出した凸形状である鋼である場合に、サファイアガラスの縦波音速が約１２３００ｍ／ｓｅｃであってその横波音速が約６４６３ｍ／ｓｅｃであるので、前記遅延材の第１音速が前記被検査物の第３音速以上である条件を満たすことができる。縦波音速では、金が約３２４０ｍ／ｓｅｃであり、亜鉛が約４１７０ｍ／ｓｅｃであり、銅が約４６６０ｍ／ｓｅｃであり、チタンが約６１００ｍ／ｓｅｃであり、アルミニウムが約６３２０ｍ／ｓｅｃであるなど、例えば組成、微細構造および温度等で縦波音速値が変動するものの、サファイアガラスの縦波音速は、金属の縦波音速以上であるため、前記遅延材を前記サファイアガラスで形成することで、上記超音波探傷用探触子は、より広範囲な種類の金属（合金を含む）を被検査物として探傷できる。また、サファイアガラスは、耐摩耗性に優れ、高強度である。
【発明の効果】
【００１６】
本発明にかかる超音波探傷用探触子は、被検査物における検査面が曲面でも、より集音できる。
【図面の簡単な説明】
【００１７】
【図１】実施形態における超音波探傷用探触子の構成を示す図である。
【図２】一例の被検査物に対する、実施形態の超音波探傷用探触子における集音効果を説明するための図である。
【図３】他の一例の被検査物に対する、実施形態の超音波探傷用探触子における集音効果を説明するための図である。
【図４】検査面が平面である被検査物に対する、比較例の超音波探傷用探触子における集音効果を説明するための図である。
【図５】検査面が曲面である被検査物に対する、比較例の超音波探傷用探触子における集音効果を説明するための図である。
【発明を実施するための形態】
【００１８】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１９】
図１は、実施形態における超音波探傷用探触子の構成を示す図である。実施形態における超音波探傷用探触子（超音波探傷用プローブ）は、超音波で被検査物Ｏｂの欠陥を検出する超音波探傷装置に用いられる装置（アタッチメント）であり、前記被検査物Ｏｂへ超音波（第１超音波）を送信し、前記送信した第１超音波に基づいて前記被検査物Ｏｂから来た超音波（第２超音波）を受信する。前記超音波探傷装置は、例えば、超音波探傷装置本体と、超音波探傷用探触子とを備え、前記超音波探傷用探触子で受信した前記第２超音波を前記超音波探傷装置本体で解析することで、前記欠陥の有無、その位置およびその大きさ（サイズ）等を検出する。このような超音波探傷用探触子Ｐは、例えば、図１に示すように、振動子１と、遅延材２とを備える。
【００２０】
振動子１は、被検査物Ｏｂ内で集音するように前記被検査物Ｏｂへ第１超音波を送信する素子である。本実施形態では、振動子１は、さらに、前記第１超音波に基づいて前記被検査物Ｏｂから来た、例えば第１超音波の反射波等の第２超音波を受信する素子でもある。すなわち、本実施形態では、前記第１超音波を送信する送信用振動子と前記第２超音波を受信する受信用振動子とは、１つの振動子１で兼用されている。振動子１は、電気信号と超音波（超音波信号）との間で相互に信号を変換できる電気機械変換素子である。振動子１は、例えばＰＶＤＦ（ｐｏｌｙｖｉｎｙｌｉｄｅｎｅ  ｆｌｕｏｒｉｄｅ、ポリフッ化ビニリデン）等の圧電ポリマー（強誘電体ポリマー）等を備えて構成される圧電素子であり、圧電現象を利用することによって電気信号と超音波（超音波信号）との間で相互に信号を変換する。振動子１は、図略の超音波探傷装置本体から供給された電気信号（送信信号）に応じて第１超音波（第１超音波信号）を生成して被検査物Ｏｂ内で集音するように前記被検査物Ｏｂへ送信し、前記第１超音波に基づいて前記被検査物Ｏｂから来た第２超音波（第２超音波信号）を受信し、前記受信した第２超音波に応じた電気信号（受信信号）を生成して前記図略の超音波探傷装置本体へ出力する。そして、本実施形態では、振動子１は、前記第１超音波を放射する放射面（振動子１の放射面、第２放射面）ＲＦ２が前記第１超音波を前記被検査物Ｏｂ内で集音するように曲面形状を持つ。この振動子１における第２放射面ＲＦ２の曲率（または曲率半径）は、被検査物Ｏｂ内における、予め設定された集音させたい位置（集音位置）、に応じて適宜に設定される。
【００２１】
遅延材（くさび）２は、前記送信用振動子と被検査物Ｏｂとの間に配置され、前記第１超音波を伝播する部材である。本実施形態では、上述したように、送信用振動子と受信用振動子とは、１つの振動子１で兼用されている。このため、本実施形態では、遅延材２は、振動子１と被検査物Ｏｂとの間に配置され、前記第１および第２超音波それぞれを伝播する。遅延材２は、前記第１超音波を放射する放射面（遅延材２の放射面、第１放射面）ＲＦ１が前記被検査物Ｏｂにおける検査面ＤＦの形状に倣う形状を持つ。好ましくは前記第１放射面ＲＦ１と前記検査面ＤＦとが互いに平行となるように前記検査面ＤＦの形状に対し前記第１放射面ＲＦ１の形状が成形される。遅延材２における第１放射面ＲＦ１の曲率半径Ｒａは、被検査物Ｏｂにおける検査面ＤＦの曲率半径Ｒに対して＋０．１ｍｍ以内程度に抑えることが好ましい（Ｒ≦Ｒａ≦Ｒ＋０．１）。より具体的には、遅延材２は、略柱状の部材である。遅延材２の一方端面には、振動子１が配設される。そして、遅延材２の他方端面が、前記第１放射面ＲＦ１であって、予め決定（指定、規定）された前記被検査物Ｏｂにおける検査面ＤＦの形状に倣う形状に形成されている。したがって、振動子１で生成された第１超音波は、前記一方端面から遅延材２に入射され、遅延材２を伝播し、前記他方端面の第１放射面ＲＦ１から射出され、前記第１放射面ＲＦ１に接する検査面ＤＦを介して被検査物Ｏｂに入射される。前記第１超音波に基づいて前記被検査物Ｏｂから来た第２超音波は、前記検査面ＤＦを介して前記他方端面の第１放射面ＲＦ１から遅延材２に入射され、遅延材２を伝播し、前記一方端面に接する第２放射面ＲＦ２を介して振動子１に入射される。
【００２２】
そして、本実施形態では、遅延材２は、前記第１放射面ＲＦ１の形状が内側に凹む凹形状である場合には前記被検査物Ｏｂの第３音速以上の第１音速である第１材料で形成され、前記第１放射面ＲＦ１の形状が外側に突出した凸形状である場合には前記被検査物Ｏｂの第３音速以下の第２音速である第２材料で形成される。このような第１および第２材料は、例えば合成石英ガラスおよびサファイアガラス等の所定の材料である。
【００２３】
このような超音波探傷用探触子Ｐの一製造例では、まず、例えば合成石英ガラスおよびサファイアガラス等の所定の材料で形成された柱状部材が用意される。前記柱状部材の他方端面が、予め決定（指定、規定）された前記被検査物Ｏｂにおける検査面ＤＦの形状に倣う形状に、研磨等で成形される。なお、前記柱状部材を柔らかくしてから、前記柱状部材の他方端面が、前記検査面ＤＦの形状と略同形状の型に押し当てられ、固化後、前記検査面ＤＦの形状に倣う形状に、研磨等で成形されても良い。前記柱状部材の一方端面が、振動子１で発生した第１超音波を被検査物Ｏｂ内で集音するように曲面形状に、研磨等で成形される。そして、このような曲面形状に加工された前記柱状部材の一方端面に、例えば振動子１が接着剤による接着で配設される。なお、前記柱状部材の一方端面に、蒸着によって振動子１が形成されることで振動子１が前記柱状部材の一方端面に配設されても良い。これによって超音波探傷用探触子Ｐが製造される。
【００２４】
次に、本実施形態の作用効果について説明する。図２は、一例の被検査物に対する、実施形態の超音波探傷用探触子における集音効果を説明するための図である。図３は、他の一例の被検査物に対する、実施形態の超音波探傷用探触子における集音効果を説明するための図である。図４は、検査面が平面である被検査物に対する、比較例の超音波探傷用探触子における集音効果を説明するための図である。図５は、検査面が曲面である被検査物に対する、比較例の超音波探傷用探触子における集音効果を説明するための図である。図２ないし図５において、図Ａは、シミュレーションによる超音波による体積ひずみ分布を示し、図Ｂは、その超音波ピームが界面で屈折する様子を概念的に示す。
【００２５】
まず、比較例として、検査面が平面である被検査物Ｏｂ３へ、前記被検査物Ｏｂ３内に集音するような曲率（または曲率半径）を持つ振動子１ａから超音波を入射させた場合における超音波による体積ひずみ分布がシミュレーションされ、その結果が図４に示されている。シミュレーションでは、高周波水浸探傷法が想定され、振動子１ａと被検査物Ｏｂ３との間には、水が介在され、超音波解析ソフトであるＣｏｍＷＡＶＥ  Ｖｅｒｓｉｏｎ７．０．１（伊藤忠テクノソリューションズ（株）提供、ＣｏｍＷＡＶＥは登録商標である）が用いられた。図４に示すように、想定の通りに、振動子１ａから水を介して平面の検査面から被検査物Ｏｂ３へ入射された超音波は、被検査物Ｏｂ３内における所定の位置で効果的に集音されている。
【００２６】
一方、他の比較例として、前記被検査物Ｏｂ３に代え、検査面が曲面である、被検査物Ｏｂ３と同材質の被検査物Ｏｂ４を用い、この点を除き同条件で同様に、超音波による体積ひずみ分布がシミュレーションされ、その結果が図５に示されている。この場合では、図４に示す超音波による体積ひずみ分布と図５に示す超音波による体積ひずみ分布とを比較すると分かるように、振動子１ａから水を介して曲面の検査面から被検査物Ｏｂ４へ入射された超音波は、前記検査面が曲面であるため、被検査物Ｏｂ４内に超音波が入射する際に生じる発散の影響により、効果的に集音できていない。
【００２７】
しかしながら、本実施形態における超音波探傷用探触子Ｐでは、遅延材２は、前記第１放射面ＲＦ１の形状が内側に凹む凹形状である場合には前記被検査物Ｏｂの第３音速以上の第１音速である第１材料で形成されている。よって、前記遅延材２の第１音速をＶ１とし、前記被検査物Ｏｂの第３音速をＶ３とし、入射角をθ１とし、屈折角をθ３とすると、音波のスネルの法則からｓｉｎθ１／ｓｉｎθ３＝Ｖ１／Ｖ３が成り立ち、上記条件Ｖ１≧Ｖ３から、ｓｉｎθ１／ｓｉｎθ３＝Ｖ１／Ｖ３＞１となるので、ｓｉｎθ１＞ｓｉｎθ３となり、この結果、遅延材２から被検査物Ｏｂへ入射される超音波は、集音する方向に伝播する。そして、前記第１放射面ＲＦ１の形状が外側に突出した凸形状である場合には前記被検査物Ｏｂの第３音速以下の第２音速である第２材料で形成されている。よって、前記遅延材２の第２音速をＶ２とし、前記被検査物Ｏｂの第３音速をＶ３とし、入射角をθ２とし屈折角をθ３とすると、Ｖ２≦Ｖ３、ｓｉｎθ２／ｓｉｎθ３＝Ｖ２／Ｖ３＜１となるので、ｓｉｎθ２＜ｓｉｎθ３となり、遅延材２から被検査物Ｏｂへ入射される超音波は、集音する方向に伝播する。
【００２８】
一例では、鋼から成る円柱状の被検査物（円柱鋼）Ｏｂ１、Ｏｂ２へ、前記被検査物Ｏｂ１、Ｏｂ２内に集音するような曲率（または曲率半径）を持つ振動子１から超音波を入射させた場合における超音波による体積ひずみ分布がシミュレーションされ、その結果が図２および図３それぞれに示されている。シミュレーションでは、遅延材２の材料は、合成石英ガラスであり（振動子１と被検査物Ｏｂとの間には合成石英ガラスが介在され）、上記ＣｏｍＷＡＶＥ  Ｖｅｒｓｉｏｎ７．０．１が用いられた。超音波の周波数は、５０ＭＨｚに設定された。図２に示す被検査物Ｏｂ１の直径（第１直径）は、図３に示す被検査物Ｏｂ２の直径（第２直径）より大きく設定されている。図２および図３では、この点を除き同条件で同様にシミュレーションが実施された。
【００２９】
上述のように、被検査物Ｏｂ１、Ｏｂ２が例えば検査面の形状が外側に突出した凸形状である鋼である場合に、鋼の縦波音速が約５９００ｍ／ｓｅｃであってその横波音速が約３２００ｍ／ｓｅｃである一方、合成石英ガラスの縦波音速が約５９７０ｍ／ｓｅｃであってその横波音速が約３７６０ｍ／ｓｅｃであるので、前記遅延材２の第１音速Ｖ１が前記被検査物Ｏｂ１、Ｏｂ２の第３音速Ｖ３以上である条件を満たすことができる。このような場合に、図２および図３に示すように、被検査物Ｏｂ１、Ｏｂ２における検査面が曲面でも、図４に示す検査面が平面である被検査物Ｏｂ３と同様に、効果的に集音できている。特に、縦波音速では、遅延材２の第１音速Ｖ１と被検査物Ｏｂ１、Ｏｂ２の第３音速Ｖ３との差が約１．１２％となり、入射角と屈折角とが略同じとなり、被検査物Ｏｂ１、Ｏｂ２に入射する際の入射角と屈折角との差が小さくなってより効果的に集音できる。図２および図３から分かるように、このような遅延材２の第１音速Ｖ１と被検査物Ｏｂ１、Ｏｂ２の第３音速Ｖ３との差が小さい場合、被検査物Ｏｂ１、Ｏｂ２の曲率によらずに、遅延材２における第１放射面ＲＦ１の形状を、被検査物Ｏｂ１、Ｏｂ２における検査面の形状に倣わせるだけで、略同じ集音位置で集音効果が得られる。
【００３０】
以上説明したように、本実施形態における超音波探傷用探触子Ｐは、被検査物Ｏｂにおける検査面ＤＦが曲面でも、より集音できる。上記超音波探傷用探触子Ｐは、このようにより集音できるので、所望の領域を探傷できるから、特に、被検査物内の比較的微小な欠陥を探傷する場合に有利である。
【００３１】
上記超音波探傷用探触子Ｐは、第２放射面ＲＦ２を曲面形状に形成するという比較的容易な手法で、第１超音波を被検査物Ｏｂ内で集音するように放射できる。
【００３２】
そして、被検査物Ｏｂが例えば検査面の形状が外側に突出した凸形状である鋼である場合であって遅延材２がサファイアガラスで形成されている場合、サファイアガラスの縦波音速が約１２３００ｍ／ｓｅｃであってその横波音速が約６４６３ｍ／ｓｅｃであるので、前記遅延材２の第１音速Ｖ１が前記被検査物の第３音速Ｖ３以上である条件を満たすことができる。縦波音速では、金が約３２４０ｍ／ｓｅｃであり、亜鉛が約４１７０ｍ／ｓｅｃであり、銅が約４６６０ｍ／ｓｅｃであり、チタンが約６１００ｍ／ｓｅｃであり、アルミニウムが約６３２０ｍ／ｓｅｃであるなど、例えば組成、微細構造および温度等で縦波音速値が変動するものの、サファイアガラスの縦波音速は、金属の縦波音速以上であるため、前記遅延材２を前記サファイアガラスで形成することで、上記超音波探傷用探触子Ｐは、より広範囲な種類の金属（合金を含む）を被検査物Ｏｂとして探傷できる。また、サファイアガラスは、耐摩耗性に優れ、高強度である。
【００３３】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００３４】
Ｐ  超音波探傷用探触子
ＲＦ１  第１放射面
ＲＦ２  第２放射面
Ｏｂ、Ｏｂ１〜Ｏｂ４  被検査物
ＤＦ  検査面
１、１ａ  振動子
２  遅延材
【図１】
2019152598.tif 000003
【図２】
2019152598.tif 000004
【図３】
2019152598.tif 000005
【図４】
2019152598.tif 000006
【図５】
2019152598.tif 000007